(57)【要約】      （修正有）【課題】押し出し不能なガラス容器や硬質容器からなる大口容器から、口の細い計量用の小口容器などに液体を注入することを可能にするノズルキャップを提供する。【解決手段】大口の容器本体１を逆さにして小口容器に確実に注出するため液体を収容した前記容器本体の大口の注出口２の首部３に装着するキャップ部１１と前記注出口２の外方に突出するノズル部１２とからなるノズルキャップ１０であって、前記ノズル部１２の中間部１３に前記注出口２からの液体流出用の空気孔１４を設けてなるノズルキャップを提供しようとするものである。【選択図】図１
0003142784.tif 000002
【実用新案登録請求の範囲】
【請求項１】
大口の容器本体を逆さにして小口容器に確実に注出するため液体を収容した前記容器本体の大口の注出口の首部に装着するキャップ部と前記注出口の外方に突出するノズル部とからなるノズルキャップであって、前記ノズル部の中間部に前記注出口からの液体流出用の空気孔を設けてなるノズルキャップ。 
【請求項２】
請求項１に記載のノズルキャップにおいて、空気孔が吐出口と同一方向に設けてあるノズルキャップ。 
【請求項３】
請求項１又は２に記載のノズルキャップにおいて、ノズル部の基端部側にノズル蓋体の装着部を設けると共に、装着部に段部を介してノズル先端部を設け、前記段部に空気孔を設けると共に、前記ノズル蓋体に前記吐出口と空気孔とを同時に覆う内蓋部を設けてあるノズルキャップ。 
【請求項４】
請求項３に記載のノズルキャップにおいて、空気孔を含んで吐出口と同心円状の凹溝を設け、ノズル蓋体の内蓋部のスカート部が凹溝に嵌合するように設けてあるノズルキャップ。 
【請求項５】
請求項１乃至４のいずれかに記載のノズルキャップにおいて、空気孔の位置を表示する標識を設けてあるノズルキャップ。 
【請求項６】
請求項１乃至５のいずれかに記載のノズルキャップにおいて、ノズル部の周囲にスペーサを設けてあるノズルキャップ。 
【請求項７】
請求項１乃至６のいずれかに記載のノズルキャップにおいて、前記吐出口の吐出口径に対して空気孔の開口径が２０％〜８０％に設けてあるノズルキャップ。 
【請求項８】
請求項１乃至７のいずれかに記載のノズルキャップにおいて、前記吐出口の吐出口径に対して空気孔と吐出口の距離が１．２倍〜３０倍に設けてあるノズルキャップ。 
【請求項９】
請求項１乃至８のいずれかに記載のノズルキャップにおいて、収容した液体の粘度が１〜７５０センチポアズからなるノズルキャップ。 
【請求項１０】
請求項９に記載のノズルキャップにおいて、液体の粘度が１０〜７５０センチポアズからなるノズルキャップ。 
【請求項１１】
請求項１０に記載のノズルキャップにおいて、液体が６０％〜９０％の濃度で粘度が１０〜２２０センチポアズのグリセリンからなるノズルキャップ。 
【考案の詳細な説明】
【技術分野】
【０００１】
本考案は、押し出し不能なガラス容器や硬質容器からなる大口容器から、口の細い計量用の小口容器などに液体を注入することを可能にするノズルキャップに関する。
【背景技術】
【０００２】
容器本体を逆さにしただけでは流出しない状態で液体を収容した容器から、口の細い計量用の小口容器などに液体を注入することを可能にするには、押し出し容器のように外圧力を加えて押し出すか、逆さにした容器の底を開口して吐出することが従来から行われている。
【考案の開示】
【考案が解決しようとする課題】
【０００３】
しかし、硬いプラスチックボトルやガラス瓶の場合には、押し出すことができないと共に、容器の底に開口を設けることも困難である。
【課題を解決するための手段】
【０００４】
そこで、本考案は、大口の容器本体を逆さにして小口容器に確実に注出するため液体を収容した前記容器本体の大口の注出口の首部に装着するキャップ部と前記注出口の外方に突出するノズル部とからなるノズルキャップであって、前記ノズル部の中間部に前記注出口からの液体流出用の空気孔を設けてなるノズルキャップを提供しようとするものである。
【０００５】
また、本考案は、請求項２に記載のように、請求項１に記載のノズルキャップにおいて、空気孔が吐出口と同一方向に設けてあるノズルキャップを提供しようとするものである。
【０００６】
また、本考案は、請求項３に記載のように、請求項１又は２に記載のノズルキャップにおいて、ノズル部の基端部側にノズル蓋体の装着部を設けると共に、装着部に段部を介してノズル先端部を設け、前記段部に空気孔を設けると共に、前記ノズル蓋体に前記吐出口と空気孔とを同時に覆う内蓋部を設けてあるノズルキャップを提供しようとするものである。
【０００７】
また、本考案は、請求項４に記載のように、請求項３に記載のノズルキャップにおいて、空気孔を含んで吐出口と同心円状の凹溝を設け、ノズル蓋体の内蓋部のスカート部が凹溝に嵌合するように設けてあるノズルキャップを提供しようとするものである。
【０００８】
また、本考案は、請求項５に記載のように、請求項１乃至４のいずれかに記載のノズルキャップにおいて、空気孔の位置を表示する標識を設けてあるノズルキャップを提供しようとするものである。
【０００９】
また、本考案は、請求項６に記載のように、請求項１乃至５のいずれかに記載のノズルキャップにおいて、ノズル部の周囲にスペーサを設けてあるノズルキャップを提供しようとするものである。
【００１０】
また、本考案は、請求項７に記載のように、請求項１乃至６のいずれかに記載のノズルキャップにおいて、前記吐出口の吐出口径に対して空気孔の開口径が２０％〜８０％に設けてあるノズルキャップを提供しようとするものである。
【００１１】
また、本考案は、請求項８に記載のように、請求項１乃至７のいずれかに記載のノズルキャップにおいて、前記吐出口の吐出口径に対して空気孔と吐出口の距離が１．２倍〜３０倍に設けてあるノズルキャップを提供しようとするものである。
【００１２】
また、本考案は、請求項９に記載のように、請求項１乃至８のいずれかに記載のノズルキャップにおいて、収容した液体の粘度が１〜７５０センチポアズからなるノズルキャップを提供しようとするものである。
【００１３】
また、本考案は、請求項１０に記載のように、請求項９に記載のノズルキャップにおいて、液体の粘度が１０〜７５０センチポアズからなるノズルキャップを提供しようとするものである。
【００１４】
また、本考案は、請求項１１に記載のように、請求項１０に記載のノズルキャップにおいて、液体が６０％〜９０％の濃度で粘度が１０〜２２０センチポアズのグリセリンからなるノズルキャップを提供しようとするものである。
【考案の効果】
【００１５】
本考案に係るノズルキャップによれば、大口の容器本体を逆さにして小口容器に確実に注出するため液体を収容した前記容器本体の大口の注出口の首部に装着するキャップ部と前記注出口の外方に突出するノズル部とからなるノズルキャップであって、前記ノズル部の中間部に前記注出口からの液体流出用の空気孔を設けてなる構成を有することにより、硬いボトルやガラス瓶からなる容器本体の注出口に本考案に係るノズルキャップを装着するだけで、ノズル部の中間部に設けた空気孔から容器本体内に空気を取り込めるため、容器本体を逆さにすることでノズル部の吐出口から内容液を吐出することができる効果がある。
【００１６】
また、本考案は、請求項２に記載のように、請求項１に記載のノズルキャップにおいて、空気孔が吐出口と同一方向に設けてある構成を有することにより、空気孔の吸気方向が液漏れを阻止する方向になるから液漏れ防止効果があると共に、ノズルキャップをプラスチックスで成形加工するときに型抜き方向がノズル部の吐出口と一致させることができる加工効果がある。
【００１７】
また、本考案は、請求項３に記載のように、請求項１又は２に記載のノズルキャップにおいて、ノズル部の基端部側にノズル蓋体の装着部を設けると共に、装着部に段部を介してノズル先端部を設け、前記段部に空気孔を設けると共に、前記ノズル蓋体に前記吐出口と空気孔とを同時に覆う内蓋部を設けてある構成を有することにより、ノズルキャップに装着したノズル蓋体の内蓋部で前記吐出口と空気孔とを同時に覆うことができる効果がある。
【００１８】
また、本考案は、請求項４に記載のように、請求項３に記載のノズルキャップにおいて、空気孔を含んで吐出口と同心円状の凹溝を設け、ノズル蓋体の内蓋部のスカート部が凹溝に嵌合するように設けてある構成を有することにより、ノズル蓋体の内蓋部で前記吐出口と空気孔とを同時に確実に覆うことができる効果がある。
【００１９】
また、本考案は、請求項５に記載のように、請求項１乃至４のいずれかに記載のノズルキャップにおいて、空気孔の位置を表示する標識を設けてある構成を有することにより、ノズルキャップをつけてノズル部から吐出する際に、標識で空気孔の位置を確認して上側に来るようにすることによって空気孔からの液漏れが無いことを視認することができる効果がある。
【００２０】
また、本考案は、請求項６に記載のように、請求項１乃至５のいずれかに記載のノズルキャップにおいて、ノズル部の周囲にスペーサを設けてある構成を有することにより、ノズル部先端を小口の計量容器などに挿入して注出する際に、スペーサによってノズル部を支持することができると共に、計量容器との間に注出用の隙間を設けることができる効果がある。
【００２１】
また、本考案は、請求項７に記載のように、請求項１乃至６のいずれかに記載のノズルキャップにおいて、前記吐出口の吐出口径に対して空気孔の開口径が２０％〜８０％に設けてある構成を有することにより、空気孔から吸気しながら内容液をノズル先端部から吐出することができる効果がある。
【００２２】
また、本考案は、請求項８に記載のように、請求項１乃至７のいずれかに記載のノズルキャップにおいて、前記吐出口の吐出口径に対して空気孔と吐出口の距離が１．２倍〜３０倍に設けてある構成を有することにより、空気孔から吸気しながら内容液をノズル先端部から吐出することができる効果がある。
【００２３】
また、本考案は、請求項９に記載のように、請求項１乃至８のいずれかに記載のノズルキャップにおいて、収容した液体の粘度が１〜７５０センチポアズからなる構成を有することにより、低粘度から高粘度の幅広い液体を収容した容器に使用することができる効果がある。
【００２４】
また、本考案は、請求項１０に記載のように、請求項９に記載のノズルキャップにおいて、液体の粘度が１０〜７２０センチポアズからなる構成を有することにより、高粘度の液体を収容した容器に使用することができる効果がある。
【００２５】
また、本考案は、請求項１１に記載のように、請求項１０に記載のノズルキャップにおいて、液体が６０％〜９０％の濃度で粘度が１０〜２２０センチポアズのグリセリンからなる構成を有することにより、グリセリンを主成分とする潤滑剤を収容した容器から小口の計量容器に抽出するのに効果がある。
【考案を実施するための最良の形態】
【００２６】
図に記載に実施例により本考案を説明する。
【００２７】
図１において、１は容器本体で、内容液を注出すべき相手の小口容器に対して大口の注出口２を有する。
【００２８】
１０は、容器本体１の注出口２の首部３に装着するキャップ部１１と前記注出口２の外方に突出するノズル部１２とからなるノズルキャップであって、前記ノズル部１２の中間部１３に前記注出口２からの液体流出用の空気孔１５を設けてなる構成を有する。１１ａは内キャップ部である。
【００２９】
硬いボトルやガラス瓶からなる容器本体１の注出口に本考案に係るノズルキャップ１０を装着するだけで、ノズル部１２の中間部１３に設けた空気孔１４から容器本体１内に空気を取り込めるため、容器本体１を逆さにすることでノズル部１２の吐出口１５から内容液を吐出することができるのである。
【００３０】
また、本考案のノズルキャップ１０において、空気孔１４が吐出口１５と同一方向に設けてある構成を有することにより、空気孔１４の吸気方向が液漏れを阻止する方向になるから液漏れ防止効果があると共に、ノズルキャップ１０をプラスチックスで成形加工するときに型抜き方向がノズル部１２の吐出口１５と一致させることができ、容易に一体成形することができる加工効果がある。
【００３１】
また、本考案のノズルキャップ１０において、ノズル部１２の基端部側にノズル蓋体２０の装着部１６を設けると共に、装着部１６に段部１３を介してノズル先端部１７を設け、前記段部１３に空気孔１４を設けると共に、前記ノズル蓋体２０に前記吐出口１５と空気孔１４とを同時に覆う内蓋部２１，２２を設けてあり、ノズルキャップ１０に装着したノズル蓋体２０の内蓋部２１，２２で前記吐出口１５と空気孔１４とを同時に覆うことができる。
【００３２】
また、本考案はのノズルキャップ１０において、空気孔１４を含んで吐出口１５と同心円状の凹溝１８を設け、ノズル蓋体２０の内蓋部２２のスカート部２３が凹溝１８に嵌合するように設けてある。
【００３３】
なお、空気孔１４には凹溝内に位置して外周孔１４ａが設けてあり、２段の空気孔１４により吸気を確実にしてある。
【００３４】
また、ノズル蓋体２０の内蓋部２１，２２で前記吐出口１５と空気孔１４とを同時に確実に覆うことができる。
【００３５】
また、本考案は、図３及び図４に記載のように、ノズルキャップ１０において、空気孔１４の位置を表示する見ても手で触れても判る標識１９ａ，１９ｂを設けてある。ノズルキャップ１０をつけてノズル先端部１７から吐出する際に、図６に記載のように、矢票からなる標識１９ａと突起部からなる１９ｂで空気孔１４の位置を確認して上側に来るようにすることによって、上向きの空気孔１４からの液漏れが無いことを視認及び触手することができる効果がある。
【００３６】
矢票からなる標識１９ａは、図４のごとく、装着部１１の外周に沿って設けた凹凸滑り止め部３１の一部に無地部分３２を設けてることによって施してある。
また、本考案のノズルキャップ１０において、ノズル先端部１７の周囲に空気孔１４にあわせてスペーサ３０を設けてあり、ノズル部先端１７を小口の計量容器４０などに挿入して注出する際に、図７及び図８に記載のごとく、スペーサ３０によってノズル先端部１７を支持することができると共に、計量容器４０との間に注出用の隙間４１を設けることができる効果がある。
【００３７】
また、本考案のノズルキャップにおいて、前記吐出口の吐出口径に対して空気孔の開口径が２０％〜８０％に設けてある構成を有することにより、空気孔から吸気しながら内容液をノズル先端部から吐出することができる効果がある。
【００３８】
考案者らが、粘度１〜７５０センチポアズのグリセリンで実験した結果としては、容器本体の容量が１００ｍＬの場合、ノズルキャップ１０の吐出口１５の口径４ｍｍに対して空気孔１４の口径は２０％〜８０％（０．８ｍｍ〜３．２ｍｍ）が好ましく、特には、３５％〜７５％（１．４ｍｍ〜３．０ｍｍ）が好ましい。また、２５０ｍＬの容器本体では、吐出口１５の口径４ｍｍに対して空気孔１４の口径は２０％〜８０％（０．８ｍｍ〜３．２ｍｍ）が好ましく、特には、３５％〜６５％（１．４ｍｍ〜２．６ｍｍ）が好ましい。また、５００ｍＬの容器本体の場合、吐出口１５の口径４ｍｍに対して空気孔１４の口径は２０％〜８０％（０．８ｍｍ〜３．２ｍｍ）が好ましく、特には、３５％〜５５％（１．４ｍｍ〜２．２ｍｍ）が好ましい。
【００３９】
また、本考案のノズルキャップにおいて、前記吐出口の吐出口径に対して空気孔と吐出口の距離が１．２倍〜３０倍に設けてある構成を有することにより、空気孔から吸気しながら内容液をノズル先端部から吐出することができる効果がある。
【００４０】
考案者らが、粘度１〜７５０センチポアズのグリセリンで実験した結果としては、容器本体の容量が１００ｍＬの場合、ノズルキャップ１０の吐出口１５の口径４ｍｍに対して空気孔１４の水平高低差の距離は１．１倍〜３０倍（４．４ｍｍ〜１２０ｍｍ）が好ましく、特には、１．１２倍〜２５倍（約４．５ｍｍ〜１００ｍｍ）が好ましい。また、容器本体の容量が２５０ｍＬの場合、ノズルキャップ１０の吐出口１５の口径４ｍｍに対して空気孔１４の水平高低差の距離は１．１倍〜３０倍（４．４ｍｍ〜１２０ｍｍ）が好ましく、特には、１．６倍〜２５倍（約６．４ｍｍ〜１００ｍｍ）が好ましい。また、容器本体の容量が５００ｍＬの場合、ノズルキャップ１０の吐出口１５の口径４ｍｍに対して空気孔１４の水平高低差の距離は１．１倍〜３０倍（４．４ｍｍ〜１２０ｍｍ）が好ましく、特には、１．６倍〜２５倍（約６．４ｍｍ〜１００ｍｍ）が好ましく、２５０ｍＬの場合と同一の結果が得られた。
【００４１】
また、本考案のノズルキャップにおいて、収容した液体の粘度が１〜７５０センチポアズからなる構成を有することにより、低粘度から高粘度の幅広い液体を収容した容器に使用することができる効果がある。
【００４２】
また、本考案のノズルキャップにおいて、液体の粘度が１０〜７５０センチポアズからなる構成を有することにより、高粘度の液体を収容した容器に使用することができる効果がある。
【００４３】
また、本考案のノズルキャップにおいて、液体が６０％〜９０％の濃度で粘度が１０〜２２０センチポアズのグリセリンからなる構成を有することにより、グリセリンを主成分とする潤滑剤を収容した容器から小口の計量容器に注出するのに効果がある。
【図面の簡単な説明】
【００４４】
【図１】図１は本考案ノズルキャップの使用態様を示す一実施例の正面断面図。
【図２】本考案ノズルキャップの一実施例の正面断面図。
【図３】ノズルキャップの一実施例の平面図。
【図４】ノズルキャップの一実施例の左側面図。
【図５】ノズルキャップの一実施例の正面図。
【図６】ノズルキャップの一使用態様を示す斜視図。
【図７】ノズルキャップの一使用態様を示す正面中央断面図。
【図８】ノズルキャップの一使用態様を示す側面中央断面図。
【符号の説明】
【００４５】
１    容器本体
２    注出口
３    首部
１０  ノズルキャップ
１１  キャップ部
１２  ノズル部
１３  中間部
１４  空気孔
１４ａ  外周孔
１５  吐出口
１６  装着部
１７  ノズル先端部
１８  凹溝
１９ａ，１９ｂ  標識
２０  ノズル蓋体
２１，２２  内蓋体
２３  スカート部
３０  スペーサ
３１  凹凸滑り止め部
３２  無地部分
４０  計量容器
４１  隙間
【図１】
0003142784.tif 000003
【図２】
0003142784.tif 000004
【図３】
0003142784.tif 000005
【図４】
0003142784.tif 000006
【図５】
0003142784.tif 000007
【図６】
0003142784.tif 000008
【図７】
0003142784.tif 000009
【図８】
0003142784.tif 000010